(57)【要約】【課題】本発明は、意匠性、清掃性に優れ、在来工法の浴室において既設配管類との干渉を自在に回避できるエプロンを備えた浴槽の提供を目的とする。【解決手段】本発明の浴槽は、浴槽本体の洗い場面側に取り付けられる、略矩形型のエプロンを備えた浴槽において、前記エプロンの左右両端下部の一部に、浴槽本体側に窪ませた凹部を設けたことを特徴とする。【選択図】図２
2016112247.tif 000002
【特許請求の範囲】
【請求項１】
浴槽本体の洗い場面側に取り付けられる、略矩形型のエプロンを備えた浴槽において、前記エプロンの左右両端下部の一部に、浴槽本体側に窪ませた切除用の凹部を設けたことを特徴とする浴槽。
【請求項２】
前記凹部の外縁部に沿った前記エプロンの浴槽本体側に係止部を設け、前記係止部に対向する位置に穴を有する板状の蓋を備え、前記穴に前記係止部を挿通させて前記蓋を前記係止部に係合し、前記蓋で前記凹部の切除部を覆ったことを特徴とする請求項１に記載の浴槽。
【請求項３】
前記係止部はビス止用の穴を備えたボスであることを特徴とする請求項２に記載の浴槽。
【請求項４】
前記蓋が前記凹部の切除部を部分的に覆って前記切除部の開口面積を増減自在に取り付けられたことを特徴とする請求項２または請求項３に記載の浴槽。
【請求項５】
前記蓋の中央側に上下方向に沿ってケガキ線が前記蓋の一側縁側に上下方向に沿って長穴がそれぞれ形成され、前記ケガキ線形成位置の前記蓋の一部と前記長穴の一部を貫通したビスを前記ボスに固定することにより前記蓋が前記切除部を覆って支持されたことを特徴とする請求項２〜４のいずれか一項に記載の浴槽。
【発明の詳細な説明】
【技術分野】
【０００１】
本発明は、浴室内に設置する浴槽において、浴槽の洗い場面側に立設するエプロンの構造を特定した浴槽に関する。
【背景技術】
【０００２】
在来工法の浴室の浴槽を交換(リフォーム)する場合、浴室内の給水配管やガス配管及びガスコックの位置により、配管との干渉防止としてエプロンの一部を切欠く場合がある。
エプロンを切欠いた部分については、水仕舞いや外観上切欠き部を覆う蓋を設ける方法がとられている。
【０００３】
従来、予めエプロンの両端に切欠部を設け、切欠部を覆う蓋を洗い場面側よりビス止めする技術が特許文献１に記載されている。
特許文献１には、洗い場面から段差部を介し一段低い浴槽設置面が形成され、該浴槽設置面上に設置される浴槽において、該浴槽の洗い場面側に設置されるエプロンの下部が、前記段差部に干渉しないように浴槽設置面側に段状に位置をずらせて垂下形成された浴槽が開示されている。
また、図９に示すように特許文献１に記載の浴槽１００において、エプロン１０１の横方向側縁部に、凹状の切欠部１０２が形成され、該切欠部１０２に着脱可能に蓋部材１０３を覆設した構成が開示されている。この蓋部材１０３は凹状の切欠部１０２を覆うように切欠部１０２の開口部に装着され、洗い場側からビス１０４により固定されている。
【先行技術文献】
【特許文献】
【０００４】
【特許文献１】特開２００２−３６９７５７号公報
【発明の概要】
【発明が解決しようとする課題】
【０００５】
特許文献１に記載の従来技術のように、蓋部材１０３を洗い場側よりビス止めする方法は、エプロン１０１と蓋部材１０３との境目部分やビス１０４の頭部が浴室の洗い場側に露出するため、見栄えが悪く、汚れ等の付着による清掃性の課題等が生じる。
また、予め切欠部を設けても、現地の配管状況によっては干渉が回避できない場合や、開口が大きすぎて見栄えが悪いなどの問題も生じていた。
また、エプロンの切欠部を必要としない現場においては、本来は不要である蓋部材等の余分な部品を装備することとなりコストアップに繋がる問題がある。
【０００６】
本発明は、前記従来の問題点に鑑みなされたものであって、意匠性、清掃性に優れ、在来工法の浴室において既設配管類との干渉を自在に回避できる浴槽用エプロンを提供することにある。
【課題を解決するための手段】
【０００７】
本発明は、前記課題を解決する手段として、以下の構成を有する。
（１）本発明の浴槽は、浴槽本体の洗い場面側に取り付けられる、略矩形型のエプロンを備えた浴槽において、前記エプロンの左右両端下部の一部に、浴槽本体側に窪ませた切除用の凹部を設けたことを特徴とする。
【０００８】
（２）本発明において、前記凹部の外縁部に沿った前記エプロンの浴槽本体側に係止部を設け、前記係止部に対向する位置に穴を有する板状の蓋を備え、前記穴に前記係止部を挿通させて前記蓋を前記係止部に係合し、前記蓋で前記凹部の切除部を覆ったことを特徴とすることが好ましい。
【０００９】
（３）本発明において、（２）に記載の係止部はビス止用の穴を備えたボスであることが好ましい。
（４）本発明において、（２）または（３）に記載の前記蓋が前記凹部の切除部を部分的に覆って前記切除部の開口面積を増減自在に取り付けられたことが好ましい。
【００１０】
（５）前記蓋の中央側に上下方向に沿ってケガキ線が前記蓋の一側縁側に上下方向に沿って長穴がそれぞれ形成され、前記ケガキ線形成位置の前記蓋の一部と前記長穴の一部を貫通したビスを前記ボスに固定することにより前記蓋が前記切除部を覆って支持されたことを特徴とする。
【発明の効果】
【００１１】
本発明によれば、エプロンの左右両端下部の一部に、浴槽本体側に窪ませた切除用の凹部を設けたので、浴槽エプロンの左右両端下部を凹部の外周に沿って切除することにより、浴室に設けられている給水配管やガス配管及びガスコックとの干渉を切除部を利用して避けることでき、エプロンの左右両端下部に配置した凹部を切欠くので浴室全体の美観を損ねることがない。
【００１２】
エプロンの浴槽本体側に係止部を設け、凹部の切除部を板状の蓋でエプロンの裏面側から覆う構成としたので、係止部によって蓋を支持する位置を変更することで現地のガス配管、給水配管等の状況に応じて自在に切除部開口の調整が可能となる。また、エプロンの浴槽本体側に形成された係止部は洗い場側から死角となるので浴室、浴槽の意匠性に優れる。
【００１３】
エプロンの左右両端下部に凹部を設けたことによりエプロンの表面側に形成された段差を、エプロン脱着時に手掛け部として有効に活用できるので、使用者が浴室内の清掃を行う際の省力化を図ることができる。段差を手掛け部として利用することでエプロンの着脱も容易に実施できる。
【００１４】
蓋の中央部のケガキ線位置と蓋の一側縁の長穴を貫通したビスをエプロン裏面側のボスに固定して蓋をエプロンに固定することで、エプロンに固定する蓋の位置をケガキ線位置と長穴に沿って自在な位置に選択できる。このため、凹部の切除部開口の調整が容易にできる。
【図面の簡単な説明】
【００１５】
【図１】本発明の第１の実施形態における、エプロン設置状態の浴槽正面構成図である。
【図２】本発明の第１の実施形態における、エプロン設置状態の浴槽側面構成図である。
【図３】本発明の第１の実施形態における、エプロン凹部周辺の斜視図である。
【図４】本発明の第１の実施形態における、エプロン切欠部周辺の斜視図である。
【図５】本発明の第１の実施形態における、ボス部分の斜視図である。
【図６】本発明の第２の実施形態における、エプロン切欠部と蓋の斜視図である。
【図７】本発明の第３の実施形態における、エプロン切欠部と蓋の斜視図である。
【図８】本発明の第４の実施形態における、エプロン切欠部と蓋を示すものであり、（Ａ）は切欠部の半分程度を蓋で塞いだ状態を示す斜視図、（Ｂ）は切欠部の１／３程度を蓋で塞いだ状態を示す斜視図である。
【図９】従来の浴槽における、エプロン設置状態の斜視図である。
【発明を実施するための形態】
【００１６】
「第１実施形態」
以下、本発明の実施形態を挙げて本発明の詳細を説明する。
図１は本発明の第１の実施形態におけるエプロン設置状態の浴槽の正面構成図である。また、図２は浴槽の側面構成図である。
図２に示すように洗い場面３０よりも浴室段差３１を介して一段低く浴槽設置面３２が形成された浴室内において浴槽設置面３２に浴槽本体１が設置され、浴槽本体１の洗い場面３０側に正面視略矩形型のエプロン２が立設されている。
本実施形態の浴槽Ａは、底壁１ａと周壁１ｂを具備した浴槽本体１からなり、浴槽本体１の周壁上部に上縁部１ｃが形成され、底壁１ａの底面側に浴槽脚１ｄが形成され、浴槽本体１の一側面側にエプロン２が設けられている。本実施形態のエプロン２は、浴槽本体１の洗い場面３０側の上縁部１ｃから洗い場面３０に近い位置まで垂下するように設置されている。
【００１７】
本実施形態のエプロン２には、洗い場面３０側から正面視して左右両端下部を窪ませた縦長の長方形状の凹部３を設けている。換言すると、エプロン２の左右両端下部を浴槽本体１側に突出させてエプロン２の表面側に凹部３が形成されている。図２に示すようにエプロン２の浴槽本体１側下部にはフック４が、浴槽本体１の底部に設置したサポート５と係合するように配置され、浴槽本体１とエプロン２が着脱可能な構造となっている。エプロン２の脱着時はエプロン下部に手を掛けて脱着することも可能であるが、凹部３により凹部上縁側に形成された段部が形成する手掛け部６に手を掛けてエプロン２を容易に脱着することができる。
【００１８】
次に、本実施形態のエプロン２について更に詳細に説明する。
図３はエプロン２の凹部３についてその周辺をエプロン２の裏面側から見た斜視図である。エプロン２の裏面側（浴槽本体１側）に凹部３の外周に沿ってボス（係止部）１０がエプロン２と一体に複数形成されている。図３では縦長の長方形状の凹部３に対し、長辺に沿って等間隔で３つのボス１０が形成され、短辺側中央に１つのボス１０が形成されている。これらのボス１０は、図５に拡大して示すように先端側を若干先窄まり状とした円柱状に形成され、エプロン２の裏面２Ａと略垂直に突出形成されており、各ボス１０の先端面近くの周面には周溝１０ａが形成され、先端面中央にはビス穴１０ｂが形成されている。
前記ボス１０はエプロン２を樹脂材料の一体成形により製造する場合、エプロン２と一体形成することにより容易に形成できる。
【００１９】
浴槽本体１を浴槽設置面３２に設置する場合、エプロン２と浴室に設置されているガスホース等が干渉する場合には、まず、凹部３を図４に示すように外周に沿って切欠き、切欠部２ａを形成する。切欠部２ａの大きさはガスホース等の干渉物と干渉しない大きさとする。図４では、一例として、手掛け部６を残すように凹部３の周壁部分を残しつつ凹部３の外周に沿って切り欠いた状態を示す。
浴室に図６〜図８に例示するようにガス配管４０、ガスコック４１、給水配管４２が突出している場合には、凹部３の外周に沿ってエプロン２を切欠いて切欠部（切除部）２ａを形成することにより、これらの突出物と干渉することなくエプロン２を取り付けることができる。
【００２０】
また、切欠部２ａを閉じるための図６に示す蓋１１を用意することが好ましい。
この蓋１１は、ガスホース等の干渉物を切欠部２ａと位置合わせして通過させた場合、切欠部２ａの干渉物通過箇所以外の領域を隠すことができる程度の大きさに形成される。一例として図６では、切欠部２ａの上部側半分程度をエプロン２の裏側から覆うことができる程度の大きさに蓋１１が形成されている。そして、この蓋１１の周縁部にはエプロン２に形成されたボス１０と対向した位置にボス挿通用の穴１１ａが形成されている。即ち、蓋１１で切欠部２ａの上部側半分程度を覆い隠した場合、隠した部分の外周に該当する位置の各ボス１０を挿通可能な位置に穴１１ａが形成されている。
【００２１】
また、ボス１０は凹部３の深さより若干長く形成され、ボス１０の周溝１０ａをエプロン２の裏面から突出させている高さが、切欠部２ａの周縁２ａ１と同等高さにされている。
これは、図６に示すように蓋１１の穴１１ａをボス１０に係合し、蓋１１を溝１０ａの位置まで押し込み、下方にずらして周溝１０ａに穴１１ａの周縁を係止することで、エプロン２の切欠部２ａの周縁２ａ１に蓋１１を軽く押し付けて切欠部２ａの周縁を洗い場側から見て隙間無く蓋１１で塞ぎつつ固定できるようにするための高さ設定とされている。
【００２２】
なお、図７に示すように、エプロン２と蓋１１を強固に固定する場合には、予めボス１０の先端面にビス穴１０ｂを設けておき、蓋１１を貫通させたビス１２で蓋１１を固定してもよい。この構造の場合に蓋１１に形成する穴１１ａはビスが貫通できる程度の大きさとすることが好ましい。また、ビス固定する場合のボス１０の高さは凹部３の深さと略同等とし、ビス固定した状態で蓋１１が切欠部２ａの周縁２ａ１に当接し、蓋１１が周縁２ａ１と接触した部分の隙間を閉じる構成が望ましい。
尚、上記の係合方法は、エプロン２の浴槽本体１側から蓋１１を固定するものであれば、特に限定するものではない。
【００２３】
更に予め、図８（Ａ）に示すように蓋１３の中央側縦方向にケガキ線１３ｂを形成し、蓋１３の一側縁に沿って長穴１３ｃを設けておき、現地配管の状況に応じて、ケガキ線１３ｂ上にビス穴を加工することにより、図８（Ａ）と図８（Ｂ）に対比して示すように蓋１３を上下方向にずらして取り付けることができる。この場合、エプロン２に形成した切欠部２ａの開口面積を自在に調整できる。
【００２４】
即ち、図８（Ａ）に示すように切欠部２ａの半分程度を蓋１３で覆う構造では、切欠部２ａの上部中央側に設けられているボス１０にビス止めする際にケガキ線１３ｂの上部側の部分をビス止めし、長穴１３ｃを介し、切欠部２ａの側部に位置する上下２つのボス１０に蓋１３の側縁部をビス止めする。
【００２５】
また、図８（Ｂ）に示すように切欠部２ａの１／３程度を蓋１３で覆う構造では、切欠部２ａの上部中央側に設けられているボス１０にビス止めする際にケガキ線１３ｂの上部より若干下側の部分をビス止めし、長穴１３ｃを介し、切欠部２ａの側部に位置する最上部のボス１０に蓋１３の側縁部をビス止めする。
蓋１３の側縁部をビス止めする位置は長穴１３ｃに沿って上下に若干の距離調節可能であるので、ガス配管４０、ガスコック４１、給水配管４２の設置位置が現場において上下方向で多少変動していても、対応することができる。
【符号の説明】
【００２６】
Ａ…浴槽、１…浴槽本体、１ｃ…上縁部、２…エプロン、２ａ…切欠部（切除部）、３…凹部、４…フック、５…サポート、６…手掛け部、１０…ボス（係止部）、１０ａ…周溝、１０ｂ…ビス穴、１１、１３…蓋、１１ａ…穴、１３ｂ…ケガキ線、１３ｃ…長穴、３０…洗い場面、３１…浴室段差、３２…浴槽設置面、４０…ガス配管、４１…ガスコック、４２…給水配管。
【図１】
2016112247.tif 000003
【図２】
2016112247.tif 000004
【図３】
2016112247.tif 000005
【図４】
2016112247.tif 000006
【図５】
2016112247.tif 000007
【図６】
2016112247.tif 000008
【図７】
2016112247.tif 000009
【図８】
2016112247.tif 000010
【図９】
2016112247.tif 000011